【事件の表示】
　特許第３１２９２９２号「健康管理指針アドバイス装置」の請求項１ないし６に係る特許に対する特許異議の申立てについて、次のとおり決定する。
【結　論】
　訂正を認める。
　特許第３１２９２９２号の請求項１ないし４に係る特許を取り消す。
【理　由】
［１］経緯
　本件特許3129292号の出願は平成10年7月24日に出願され、その特許は平成12年11月17日に設定登録された。その後、特許異議申立人樋口守孝より特許異議の申立てがあり、取消理由通知がなされ、その指定期間内である平成13年12月10日に訂正請求がなされた。
　
［２］特許権者が求めた訂正事項
訂正事項a；訂正前特許請求の範囲の請求項１の「前記電極の少なくとも一つを、薄板状をなし、かつ可撓性を有する導電性の電極構成部材によって形成し、前記電極構成部材は前記保持部の電極支持部に、曲げに対する弾性による復原力に抗して巻きつけられている」を、「前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する」と訂正する。
　
訂正事項b；同請求項２を、「前記保持部は、前記電極構成部材の端部を一時的に保持するための仮止め部を有することを特徴とする請求項１記載の健康管理指針アドバイス装置。」と訂正する。
　
訂正事項c；同請求項３を、「前記電極構成部材の端部は、前記保持部に保持されるための保持手段を有することを特徴とする請求項１記載の健康管理指針アドバイス装置。」と訂正する。
　
訂正事項d；同請求項４を、「前記保持手段は前記保持部に係合する係合手段であることを特徴とする請求項３記載の健康管理指針アドバイス装置。」と訂正する。
　
訂正事項e；同請求項５を削除する。
　
訂正事項f；同請求項６を削除する。
　
訂正事項g；特許明細書の段落【0017】の記載（特許公報2頁右欄50行〜3頁左欄5行の記載）を、「前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する」と訂正する。
　
訂正事項h；同段落【0018】の末行（特許公報3頁左欄11行）の後に、
「また、巻き付け工程を手作業で行いネジ止め作業を機械で行う等のように巻き付け工程と固定工程を分離することができるので、効率的に製造を行うことにより製造コストを削減することができる。」を加入する。
　
訂正事項i；同段落【0024】（特許公報3頁左欄40〜44行）の「第2の発明は、…圧接していることを特徴とする。」を削除する。
　
訂正事項j；同段落【0026】（特許公報3頁右欄2〜4行）の「第3の発明は、…前記保持部に設けたことを特徴とする。」を、「第2の発明は、第1の発明において、前記保持部は、前記電極構成部材の端部を一時的に保持するための仮止め部を有することを特徴とする。」と訂正する。　
　
訂正事項k；同段落【0027】（特許公報3頁右欄5〜6行）の「このように保持部に電極構成部材を保持するための保持手段を設ければ」との記載を、「このように保持部に電極構成部材の端部を一時的に保持するための仮止め部を設ければ」と訂正する。
　
訂正事項l；同段落【0029】（特許公報3頁右欄17〜20行）の「第4の発明は、…前記電極構成部材に設けたことを特徴とする。」との記載を、「第3の発明は、第1の発明において、前記電極構成部材の端部は、前記保持部に保持されるための保持手段を有することを特徴とする。また、第4の発明は、第3の発明において、前記保持手段は前記保持部に係合する係合手段であることを特徴とする。」と訂正する。
　
訂正事項m；同段落【0030】（特許公報3頁右欄21〜22行）の「このように保持部に電極構成部材を保持するための保持手段を設ければ、」を、「このように電極構成部材の端部に保持部に保持されるための保持手段を設け、あるいはこのような保持手段として保持部に係合する係合手段を設ければ、」と訂正する。
　
訂正事項n；同段落【0033】〜【0037】（特許公報3頁右欄35行〜4頁左欄1行の「第5の発明は、…提供することができる。」を削除する。
　
訂正事項o；同段落【0109】（特許公報8頁左欄43〜47行）の「電極の少なくとも…低コストでの製造が可能である。」との記載を、「前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有するので、簡易な構成であり、低コストでの製造が可能である。また、巻き付け工程を手作業で行いネジ止め作業を機械で行う等のように巻き付け工程と固定工程を分離することができるので、効率的に製造を行うことにより製造コストを削減することができる。」と訂正する。
　
訂正事項p；同段落【0111】（特許公報8頁右欄5〜10行）の「第2の発明によれば、…耐久性が向上する。」を削除する。
　
訂正事項q；同段落【0112】（特許公報8頁右欄11〜12行）の「第3の発明のように…を設ければ、」との記載を、「第2の発明のように保持部に電極構成部材の端部を一時的に保持するための仮止め部を設ければ、」と訂正する。
　
訂正事項ｒ；同段落【0113】（特許公報8頁右欄16行）の「第4の発明によれば、」との記載を、「第3及び第4の発明によれば、」と訂正する。
　
訂正事項s；同段落【0114】〜【0115】（特許公報8頁右欄19〜26行）の「第5の発明のように…提供することができる。」との記載を削除する。
　
［３］訂正の適否
　訂正事項aからdは、訂正前の電極構成部材を限定し（請求項１）、その訂正に対応するとともに、「保持手段」をさらに「電極構成部材の端部を一時的に保持するための仮止め部」に限定し（請求項２）、「保持手段」が設けられた「電極構成部材」の部位を「端部」に限定し（請求項３）、訂正後の請求項３の「保持手段」の構成をさらに係合手段に限定（請求項４）したもので、いずれも、特許請求の範囲の滅縮を目的とするものである。訂正事項e、fは、訂正前の請求項5、6を削除する補正であり、特許請求の範囲の滅縮を目的とするものである。
　訂正事項ａからfは、いずれも、実質上特許請求の範囲を拡張し、又は変更するものではなく、願書に添付した明細書の又は図面に記載した事項の範囲内におけるものである。　
　訂正事項g、h、oは、請求項１の訂正に伴い、発明の詳細な説明の記載を訂正するものであり、訂正事項i、j、k、p、qは、元の請求項２に対応する記載を特許明細書から削除し、訂正後の請求項２の記載にあわせて発明の詳細な説明の記載を訂正するものであり、訂正事項l、mは、請求項３の訂正に対応して発明の詳細な説明の記載を訂正するものであり、訂正事項rは、請求項３および請求項４の訂正に対応して発明の詳細な説明の記載を訂正するものであり、訂正事項n、sは、請求項５、６を削除する訂正に対応するものである。
　訂正事項gからsはいずれも明りょうでない記載の釈明を目的とするものであり、実質上特許請求の範囲を拡張し、又は変更するものではなく、願書に添付した明細書の又は図面に記載した事項の範囲内におけるものである。
　
　したがって、訂正事項aからsは、特許法第１２０条の４第２項及び同条３項において準用する特許法第１２６条第２項から４項の規定に適合するので、当該訂正を認める。
　
［４］特許異議申立てについての判断
１．本件特許に係る発明
　上記のとおり訂正は認められるから、本件特許に係る発明は訂正後の請求項１から４に記載された次のとおりのものである。
【請求項1】手で保持する保持部と、前記保持部に設けられ該保持部を保持することによって皮膚に接触する電極と、前記電極から印加された電気信号によって生体に生じる現象を検出し、又は前記電極によって検出された電気信号に基づいて、健康管理に有益な指針情報を算出する情報処理手段と、を備えた健康管理指針アドバイス装置において、前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有することを特徴とする健康管理指針アドバイス装置。
　
【請求項2】前記保持部は、前記電極構成部材の端部を一時的に保持するための仮止め部を有することを特徴とする請求項1記載の健康管理指針アドバイス装置。
　
【請求項3】前記電極構成部材の端部は、前記保持部に保持されるための保持手段を有することを特徴とする請求項1記載の健康管理指針アドバイス装置。
　
【請求項4】前記保持手段は前記保持部に係合する係合手段であることを特徴とする請求項3記載の健康管理指針アドバイス装置。
　
２．取消理由通知で引用した刊行物に記載された発明
(1)まず、刊行物1（特開平8-154910号公報；異議申立人の提出した甲第１号証）には、左右のグリップ部12、13に電極17、18、19、20が配置され、被検者が左右のグリップ部12、13を握ることにより電極17、18から被検者の身体に印加された高周波信号により生じる抵抗電位を電極19、20によって検出し、この信号を処理することにより体脂肪等の健康管理指針アドバイス情報を抽出し、測定結果を出力し表示する健康管理指針アドバイス装置が記載されていると認められる。
　そのグリップ部と電極に関して、刊行物１には、次の記載と図示が認められる。
「左手用グリップ部12、右手用グリップ部13とも、垂直のほぼ円柱状であり、それぞれの表面には高周波信号印加用(定電流印加用)の電極17、18と、抵抗電位計測用(電圧検出用)の電極19、20が設けられている。これら電極17、18及び電極19、20は、図1では図示していないが、本体部11内の回路部と電気的に接続されている。」【0008】
「図5は、この発明の他の実施例健康管理指針アドバイス装置の外観図である。この実施例装置は、基本的な形状及び回路装置は、図1に示したものと同様で、同一番号を付したものは同一のものを示している。図1に示したものと特に相違する点は、グリップ部12の電極17と電極19、グリップ部13の電極18と電極20が、それぞれグリップ軸に沿って並設され、かつ軸の周方向に筒状に形成されていることである。」【0016】
「この実施例装置のグリップ部12は、具体的には図6に示す通り、下方外周面に電極17が設けられる上部材12aと、上方外周面に電極19が設けられる下部材12cが、連結部材12bで結合されている。12dが上部材12aの内周と連結部材12bの外周のネジ結合部、12eが下部材12cの内周と連結部材12bの外周のネジ結合部である。グリップ部12を構成する上部材12a、連結部材12b及び下部材12cは、ABS、PU、PE等の樹脂成型品であり、電極17、19はSUS304、306の板をリング状に加工したものか、ポリウレタン成型グリップの表面に、メッキ処理により形成したものを使用する。電極17、19には、それぞれビス17a、19aを設けて、内側でこれを端子として抵抗31を接続し、電極17のビス17aには、定電流信号印加用の配線17bが接続され、電極19のビス19aには、電圧検出信号用の配線19bがそれぞれ内部接続されている。グリップ部13も全く同様の構成となっている。」【0017】
　
(2)刊行物3（実願昭59-120705号（実開昭61-36383号）のマイクロフイルム；異議申立人の提出した甲第３号証）には、次の記載が認められる。
「この考案は間欠的に所定角度ずつ回動される電極ホルダの周面に、帯状電極を着脱自在に巻付け固定したことを特徴とする。」(第2頁下から4行〜最下行)、
「帯状電極20は例えばNiメッキ銅合金、Moコーティング銅合金などで作られており、上記電極ホルダ16の周面に巻付けて両端部を向い合わせに折り曲げ、この折曲げ片22，22に設けた穴にボルトを通し、このボルト24にナット26を螺合して、締付け固定する。」(4頁6〜11行)、
「第3図はこの考案の第2実施例によるスポット溶接機の電極装置の正面図で、円板状の電極ホルダ16にその周面から八字状に切溝28，28を設け、電極ホルダの周面に巻き付けた帯状電極14の両端部を差込んで固定するものである。」(4頁16〜20行)
　
３．対比・判断
3-1　本件請求項１に係る発明について、
　刊行物１に記載された「左右のグリップ部12、13」、「電極17、18、19、20」は、本件発明１の「手で保持する保持部」、「保持部に設けられ該保持部を保持することによって皮膚に接触する電極」にそれぞれ相当し、刊行物１において電極17,19がSUS304,306の板をリング状に加工したものをグリップの表面に設けて構成されることは、「薄板状をなし、かつ可撓性を有する導電性の電極構成部材によって形成されるとともに前記保持部に設けられた電極支持部に支持され、前記電極構成部材は、前記電極支持部に巻きつけられ」ていることである。
　したがって、本件請求項１に係る発明と刊行物１に記載された発明とは、
「手で保持する保持部と、前記保持部に設けられ該保持部を保持することによって皮膚に接触する電極と、前記電極から印加された電気信号によって生体に生じる現象を検出し、又は前記電極によって検出された電気信号に基づいて、健康管理に有益な指針情報を算出する情報処理手段と、を備えた健康管理指針アドバイス装置において、前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており」という点で一致するが、その電極構成部材が次の点で相違する。
　
　本件請求項１に係る発明では、「薄板状をなし、かつ可撓性を有する導電性の電極構成部材が電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する」のに対し、
　刊行物１に記載された発明では、「薄板状をなし、かつ可撓性を有する導電性の電極構成部材がリング状に加工されて電極支持部の表面に沿う形状となっている」点
　
　相違点について検討するに、
　刊行物３の上記各記載と第３図の図示によれば、帯状電極の折れ曲がった一端部をまず一方の切溝28に差込んでから帯状電極を電極ホルダの周面に巻き付け、他の折れ曲がった一端部を他方の切溝28に差込むことにより固定がなされると解されるから、帯状電極は、「薄板状をなし、かつ可撓性を有する導電性の電極構成部材が電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する」ものであることが認められる。
　刊行物１に記載された発明においては、円柱状のグリップ部の表面に沿って薄板状の電極を設けるものであり、刊行物３に記載された上記技術は同様に円柱状の電極ホルダの表面にそって薄板状の電極を設ける技術であるから、その技術を刊行物１に記載された発明のグリップ部と電極に適用することは当業者にとって容易になしうることである。
　したがって、本件請求項１に係る発明は刊行物１、３に記載された発明に基いて当業者が容易に発明をすることができたものと認められる。
　
3-2　本件請求項２から４に係る発明について
　刊行物３に記載された上記技術を刊行物１に記載された発明に適用したとしても、刊行物１のビス17a、19aが省略できることにはならず（配線を電極に接続しなければならないから）、それらビスによる電極をグリップ部に固定することが最終的な保持、固定であるから、前記の適用は当然に、
ａ　グリップ部（保持部に相当）が帯状電極の端部を一時的に保持するための仮止め部（切溝）を有し、
ｂ　帯状電極の端部は、グリップ部（保持部に相当）の仮止め部（切溝）に保持されるための保持手段（帯状電極の端部の折れ曲がった部分）を有し、
ｃ（その折れ曲がった部分と切溝は係合するから）保持手段は保持部に係合する係合手段を有することとなる。
　したがって、本件請求項２から４に係る発明は、いずれも刊行物１、３に記載された発明に基いて当業者が容易に発明をすることができたものと認められる。
　
［５］むすび
　以上のとおりであるから、訂正明細書の請求項１から４に係る発明についての特許は、特許法第２９条第２項の規定に違反してされたものであり、特許法第１１３条第２号に該当し、取り消されるべきものである。
　よって、結論のとおり決定する。
【異議決定日】
平成１４年２月２０日（２００２．２．２０）
【訂正の要旨】
［訂正の要旨］
訂正事項ａ；訂正前特許請求の範囲の請求項１の「前記電極の少なくとも一つを、薄板状をなし、かつ可撓性を有する導電性の電極構成部材によって形成し、前記電極構成部材は前記保持部の電極支持部に、曲げに対する弾性による復原力に抗して巻きつけられている」を、「前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する」と訂正する。
訂正事項ｂ；同請求項２を、「前記保持部は、前記電極構成部材の端部を一時的に保持するための仮止め部を有することを特徴とする請求項１記載の健康管理指針アドバイス装置。」と訂正する。
訂正事項ｃ；同請求項３を、「前記電極構成部材の端部は、前記保持部に保持されるための保持手段を有することを特徴とする請求項１記載の健康管理指針アドバイス装置。」と訂正する。
訂正事項ｄ；同請求項４を、「前記保持手段は前記保持部に係合する係合手段であることを特徴とする請求項３記載の健康管理指針アドバイス装置。」と訂正する。
訂正事項ｅ；同請求項５を削除する。
訂正事項ｆ；同請求項６を削除する。
訂正事項ｇ；特許明細書の段落【００１７】の記載（特許公報２頁右欄５０行〜３頁左欄５行の記載）を、「前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する」と訂正する。
訂正事項ｈ；同段落【００１８】の末行（特許公報３頁左欄１１行）の後に、
「また、巻き付け工程を手作業で行いネジ止め作業を機械で行う等のように巻き付け工程と固定工程を分離することができるので、効率的に製造を行うことにより製造コストを削減することができる。」を加入する。
訂正事項ｉ；同段落【００２４】（特許公報３頁左欄４０〜４４行）の「第２の発明は、…圧接していることを特徴とする。」を削除する。
訂正事項ｊ；同段落【００２６】（特許公報３頁右欄２〜４行）の「第３の発明は、…前記保持部に設けたことを特徴とする。」を、「第２の発明は、第１の発明において、前記保持部は、前記電極構成部材の端部を一時的に保持するための仮止め部を有することを特徴とする。」と訂正する。
訂正事項ｋ；同段落【００２７】（特許公報３頁右欄５〜６行）の「このように保持部に電極構成部材を保持するための保持手段を設ければ」との記載を、「このように保持部に電極構成部材の端部を一時的に保持するための仮止め部を設ければ」と訂正する。
訂正事項ｌ；同段落【００２９】（特許公報３頁右欄１７〜２０行）の「第４の発明は、…前記電極構成部材に設けたことを特徴とする。」との記載を、「第３の発明は、第１の発明において、前記電極構成部材の端部は、前記保持部に保持されるための保持手段を有することを特徴とする。また、第４の発明は、第３の発明において、前記保持手段は前記保持部に係合する係合手段であることを特徴とする。」と訂正する。
訂正事項ｍ；同段落【００３０】（特許公報３頁右欄２１〜２２行）の「このように保持部に電極構成部材を保持するための保持手段を設ければ、」を、「このように電極構成部材の端部に保持部に保持されるための保持手段を設け、あるいはこのような保持手段として保持部に係合する係合手段を設ければ、」と訂正する。
訂正事項ｎ；同段落【００３３】〜【００３７】（特許公報３頁右欄３５行〜４頁左欄１行の「第５の発明は、…提供することができる。」を削除する。
訂正事項ｏ；同段落【０１０９】（特許公報８頁左欄４３〜４７行）の「電極の少なくとも…低コストでの製造が可能である。」との記載を、「前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有するので、簡易な構成であり、低コストでの製造が可能である。また、巻き付け工程を手作業で行いネジ止め作業を機械で行う等のように巻き付け工程と固定工程を分離することができるので、効率的に製造を行うことにより製造コストを削減することができる。」と訂正する。
訂正事項ｐ；同段落【０１１１】（特許公報８頁右欄５〜１０行）の「第２の発明によれば、…耐久性が向上する。」を削除する。
訂正事項ｑ；同段落【０１１２】（特許公報８頁右欄１１〜１２行）の「第３の発明のように…を設ければ、」との記載を、「第２の発明のように保持部に電極構成部材の端部を一時的に保持するための仮止め部を設ければ、」と訂正する。
訂正事項ｒ；同段落【０１１３】（特許公報８頁右欄１６行）の「第４の発明によれば、」との記載を、「第３及び第４の発明によれば、」と訂正する。
訂正事項ｓ；同段落【０１１４】〜【０１１５】（特許公報８頁右欄１９〜２６行）の「第５の発明のように…提供することができる。」との記載を削除する。
（５４）【発明の名称】
健康管理指針アドバイス装置
（５７）【特許請求の範囲】
　【請求項１】
　手で保持する保持部と、前記保持部に設けられ該保持部を保持することによって皮膚に接触する電極と、前記電極から印加された電気信号によって生体に生じる現象を検出し、又は前記電極によって検出された電気信号に基づいて、健康管理に有益な指針情報を算出する情報処理手段と、を備えた健康管理指針アドバイス装置において、
前記電極の少なくとも一つは、薄板状をなし、かつ可撓性を有する導電性の電極構成部材によって形成されるとともに前記保持部に設けられた電極支持部に支持され、
前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する
　【請求項２】
　
前記保持部は、前記電極構成部材の端部を一時的に保持するための仮止め部を有することを特徴とする請求項１記載の健康管理指針アドバイス装置。
　【請求項３】
　
前記電極構成部材の端部は、前記保持部に保持されるための保持手段を有することを特徴とする請求項１記載の健康管理指針アドバイス装置。
　【請求項４】
　
前記保持手段は前記保持部に係合する係合手段であることを特徴とする請求項３記載の健康管理指針アドバイス装置。
【発明の詳細な説明】
　【０００１】
　【発明の属する技術分野】
　本発明は、電極によって、生体に生じる電位又は電流を計測したり、生体に電流又は電圧を印加することにより生じる電位又は電流を計測することによって健康管理指針情報を提供するための健康管理指針アドバイス装置、特にその電極構成に関する。
　【０００２】
　【従来の技術】
　（第１の従来技術）従来、このような健康管理指針アドバイス装置として体脂肪計としては、図１９に示すようなものがあった。
　【０００３】
　体脂肪計１００は、家庭用体重計の上面に体脂肪率計測用の電極１０１，１０２，１０３，１０４が設置固定されており、体重計に載ることによって得られる体重値と、予め入力された個人データ（身長，年令，性別）及び身体内部インピーダンス計測値から体脂肪率を推定し、結果を表示部１０５に表示するものである。
　【０００４】
　しかしながら、体脂肪計１００では電極１０１〜１０４は足の裏に接触するので、裸足にならなければ計測できず、使い勝手が悪い。
　【０００５】
　（第２の従来技術）また、図２０に示すように、手首に装着するバンド１５１の内面に電極１５２，１５３を備えた体脂肪計１５０（特開平６−３０４１４９号参照）もあるが、計測のためには手首に巻き付ける必要があり、血圧計のカフと同様に簡単に計測できるとは言いがたい。
　【０００６】
　（第３の従来技術）これに対して、同様の体脂肪計として図２１に示すものがある。
　【０００７】
　体脂肪計２００は両手でグリップ部２０７，２０８を握り、電流印加用電極２１５，２１６から印加した電流によって生じる電位差を電圧計測用電極２１７，２１８によって計測することにより身体内部インピーダンスを計測し、予め入力された個人データ（身長，体重，年令，性別）とインピーダンス計測値から体脂肪率を推定し、表示部２０９に表示するものである。
　【０００８】
　体脂肪計２００では、グリップ部２０７，２０８を握る掌と電極との接触面積を確保して精度の向上を図るとともに掌へのフィット感を高めるために、電極２１５〜２１８を掌の形状に適合させた複雑な３次元形状に形成している。
　【０００９】
　図２２（ａ）は分割面２１０によって接合された前面側部材２００ａと背面側部材２００ｂのうち前面側部材２００ａの電流印加用電極２１６の構成を背面側からみた斜視図である。図２２（ｂ）は各部材の構成を分解して示した図のグリップ部２０８の軸方向に直交する方向のＢ−Ｂ断面図である。電流印加用電極２１５，電圧計測用電極２１７，２１８も同様の構成である。
　【００１０】
　電流印加用電極２１６は、グリップ部２０８のフロントハウジング２０８ａに略有底円筒形状の接続部２２０を有する異形の略半円筒形状の電極構成部材２２１を嵌合させて形成している。電極２１６とリード線２４３との電気的接続は、接続部２２０の端部２２０ａとリード線２４３の丸端子２４４との間に歯付き座金２４５を介在させてタッピングネジ２４６でネジ止めすることにより行っていた。
　【００１１】
　このような複雑な形状に形成するために、電極構成部材２２１には、３次元曲面を有する樹脂成形品にクロムメッキを施したものを使用していた。
　【００１２】
　【発明が解決しようとする課題】
　しかしながら、このような電極では、電極から電気信号を取り出す等のために接続されたリード線と電極との電気的接続の信頼性を確保するため、メッキの付き具合の管理が困難であるとともに、リード線とメッキ部分の接触信頼性を高めるために、歯付き座金を使用する等部品点数も増えるため、コストが高く、組立工程数も多くなっていた。また、メッキ後の３価クロムは人体に無害であるが、クロムメッキ工程で使用する６価クロム等による汚染の問題についても考慮することが望ましい。
　【００１３】
　これに対して、ステンレス等の金属のパイプを用いることもできるが、電極の形状が円筒形に限られてしまい、掌の接触面積を確保するための形状工夫ができない。
　【００１４】
　また、金属材の深絞り形状品を使用することもできるが、複雑な金型が必要となり、寸法管理も煩雑となるためさらにコストが高くなってしまう。また、複雑なＲ曲面とリード線との接続部を同時に形成することが技術的に困難である等の問題もあった。
　【００１５】
　さらに、ステンレス等の金属のダイキャスト鋳造品を使用することもできるが、重量が増すので、保持して計測する体脂肪計では使用者の負荷が増してしまう。
　【００１６】
　本発明はかかる従来技術の課題を解決するためになされたものであってその目的とするところは、簡便に使用でき、簡易な構成で、低コストで製造し得る健康管理指針アドバイス装置を提供することにある。
　【００１７】
　【課題を解決するための手段】
　上記目的を達成するために第１の発明は、手で保持する保持部と、前記保持部に設けられ該保持部を保持することによって皮膚に接触する電極と、前記電極から印加された電気信号によって生体に生じる現象を検出し、又は前記電極によって検出された電気信号に基づいて、健康管理に有益な指針情報を算出する情報処理手段と、を備えた健康管理指針アドバイス装置において、
前記電極の少なくとも一つは、薄板状をなし、かつ可撓性を有する導電性の電極構成部材によって形成されるとともに前記保持部に設けられた電極支持部に支持され、
前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有する
　【００１８】
　このようにすれば、被検者は保持部を手で握ったり、掴んだり等して保持するだけで健康管理に有益な指針情報を入手することができるので、簡便に使用できるとともに、電極の少なくとも一つが電極支持部に薄板状の電極構成部材を巻き付けることによって形成されているので、簡易な構成であり、低コストでの製造が可能である。
また、巻き付け工程を手作業で行いネジ止め作業を機械で行う等のように巻き付け工程と固定工程を分離することができるので、効率的に製造を行うことにより製造コストを削減することができる。
　【００１９】
　電極は生体電位等の生体に生じている電気現象を検出するものでもよいし、電流又は電圧を外部から印加し、あるいはこのようにして印加された電流又は電圧によって生体に生じる電圧又は電流を検出するものでもよい。
　【００２０】
　このような健康管理指針アドバイス装置としては、電流を電極を通じて外部から生体に印加し、この電流によって生じる電位差を当該電極又は他の電極によって計測することにより、あるいは電圧を電極から印加しこの電圧によって生体に流れる電流を計測することにより、生体インピーダンスを計測し、インピーダンス計測値に基づいて体脂肪率，除脂肪量，体脂肪量等を算出するものがある。また、電極によって生体電位を検出する心拍計等のようなものもあり、算出できる指針情報はこれらに限られない。
　【００２１】
　また、保持部は健康管理指針アドバイス装置本体と一体に設けられている場合に限られず、独立の保持部と装置本体とをケーブル等の接続手段で接続したり、通信手段を設けて情報伝達を行うようにすることもできる。
　【００２２】
　【００２３】
　このように電極構成部材として可撓性を有する部材を使用すれば、運搬時や組立工程において加わる衝撃をたわみによって吸収し、折れ等の変形による外観不良品の発生を防止することができるので、製造コストを低減することができる。また、組立工程における部材の取り扱いを簡素化できるので、組立工程の設計の自由度が増大する。
　【００２４】
　【００２５】
　電極構成部材は可撓性を有するので、たわませた場合に元の形状へ復帰しようとする復原力が生じる。このような力を電極構成部材と接続線の接続部とを圧接させるための力として用いれば、ネジ等の他の接続手段に緩み等が生じても電極構成部材と接続部との接続状態を確保することができるので、信頼性と耐久性が向上する。
　【００２６】
　
第２の発明は、第１の発明において、前記保持部は、前記電極構成部材の端部を一時的に保持するための仮止め部を有することを特徴とする。
　【００２７】
　
このように保持部に電極構成部材の端部を一時的に保持するための仮止め部を設ければ
　【００２８】
　このような保持手段を保持部に設ければ、電極構成部材の構成を簡略化することができるので、電極構成部材の製造コストの削減が可能となる。
　【００２９】
　
第３の発明は、第１の発明において、前記電極構成部材の端部は、前記保持部に保持されるための保持手段を有することを特徴とする。また、第４の発明は、第３の発明において、前記保持手段は前記保持部に係合する係合手段であることを特徴とする。
　【００３０】
　
このように電極構成部材の端部に保持部に保持されるための保持手段を設け、あるいはこのような保持手段として保持部に係合する係合手段を設ければ、
　【００３１】
　このような保持手段を保持部に設ければ、保持部の構成を簡略化することができるので、保持部の製造コストの削減が可能となる。
　【００３２】
　このような保持手段を電極構成部材と保持部の双方に設けてもよい。
　【００３３】
　【００３４】
　【００３５】
　【００３６】
　【００３７】
　【００３８】
　【発明の実施の形態】
　（第１の実施形態）図１に本発明の第１の実施形態に係る健康管理指針アドバイス装置としての体脂肪計１の外観を示す。図２（ａ）は同正面図、図２（ｂ）は同左側面図である。
　【００３９】
　本装置１は、身体に印加した高周波電流によって生じる身体抵抗電位を検出してインピーダンスを計測し、このインピーダンス計測値と入力された身長，体重，年令，性別等の身体特定化情報とを所定の変換理論式，変換テーブル等によって演算処理し、体脂肪率，除脂肪量，脂肪量，肥満度等の健康管理指針情報を算出して提供するものである。
　【００４０】
　まず、装置１の概略構成について説明する。
　【００４１】
　略直方体形状の装置本体部２の上端及び下端から延びるブリッジ部３，４，５，６を介して略円柱形状の保持部としてのグリップ部７，８が設けられている。
　【００４２】
　装置本体部２の前面２ａの上部には計測値や健康管理指針情報等の情報を表示する表示部９が設けられ、表示部９の下方にはＵＰボタン１０，ＤＯＷＮボタン１１，身長，体重，年令，性別からなる身体特定化情報の入力モード及び個人データ呼び出しモードを切換える設定スイッチ１２，電源スイッチ１３，測定スイッチ１４が設けられている。
　【００４３】
　グリップ部７，８の前面側には略円筒形状の電流印加用電極１５，１６及び電圧計測用電極１７，１８がそれぞれ設けれられ、電流印加用電極１５，１６及び電圧計測用電極１７，１８の間には軸方向に凹状となる小径の絶縁部１９，２０が設けられている。図２（ｂ）に示すようにグリップ部７の背面側は握る手の形状にフィットするように異形に形成されている（グリップ部８も同様である。）。すなわち、グリップ部背面上部７１の上端部及び下端部には突起７１ａ，７１ｂが周方向に設けられ、グリップ部背面中央部７２は前面の絶縁部１９と連続して凹状をなし、グリップ部背面下部７３は軸方向中央部で若干凸となるＲ形状で下端部に突起７３ａが周方向に設けられている。また、グリップ部７，８の底部には安定して直立させるための脚部７４，８４が設けられている。本実施形態では、絶縁部１９，２０，グリップ部背面上部７１，グリップ部背面中央部７２及びグリップ部背面下部７３が異形部を構成する（グリップ部８についても同様である）。
　【００４４】
　装置１の筐体２１はポリカーボネイト，ＡＢＳ等の樹脂成型によって形成され、表示部９はＬＥＤ，ＬＣＤ等によって形成することができる。図３は、本装置１内部の回路構成を示すブロック図である。
　【００４５】
　２３は所定周波数ｆ０の高周波電流を発生する高周波信号発生部、２４は電圧計測用電極１７，１８，からの抵抗電位信号を受ける差動増幅器、２５は周波数ｆ０以外の信号をカットするためのバンドパスフィルタ、２６は高周波信号成分を復調する復調回路、２７はアナログ信号をデジタル信号に変換するＡ／Ｄ変換器、２８は電池、１３は電源スイッチ、９は表示部、２９はＵＰボタン１０，ＤＯＷＮボタン１１，設定スイッチ１２からなる入力部、１４は測定スイッチ，３０は計測制御プログラム，演算プログラム，健康管理指針アドバイス情報を抽出するための変換テーブル等を格納したメモリ（ＲＯＭ）、３１はユーザーが入力した身体特定化情報や計測値等を格納するメモリ（ＲＡＭ）、３２は所定のプログラムを実行して計測・演算を行い健康管理指針アドバイス情報を算出して表示部９に表示し、あるいは外部機器に出力するＣＰＵである。本実施形態では、ＲＯＭ３０，ＲＡＭ３１，ＣＰＵ３２によって情報処理手段が構成される。
　【００４６】
　本装置１による計測方法を説明する。
　【００４７】
　被検者は電源スイッチ１３をＯＮして、設定スイッチ１２によって身長，体重，年令，性別の各入力モードを選択し、ＵＰボタン１０，ＤＯＷＮボタン１１によって値を選択することによりこれらの身体特定化情報の入力を行う。予め、身体特定化情報がメモリされている場合には、設定スイッチでデータ呼び出しモードを選択し、ＵＰボタン１０，ＤＯＷＮボタン１１によってデータを特定するための個人番号を選択することによってデータを呼び出してもよい。
　【００４８】
　次に、装置１のグリップ部７，８を装置前面２ａ側から両手で握る。このとき、人差し指と親指との間の股部が電流印加用電極１５，１６に接触し、中指が絶縁部１９，２０に巻回され、薬指，小指の付け根と手首との間の掌部が電圧計測用電極１７，１８に接触する。このとき、人差し指と中指とで突起２５，２６を挟むようになっている。グリップ部７，８の背面側は異形となっているので、両手で握った場合の位置決めが可能となり、再現性が向上し、より高精度での計測が可能となる。
　【００４９】
　上述のようにグリップ部７，８を両手で握り、両腕をほぼ肩の高さで身体の前方にまっすぐ伸ばした状態で保持し（図４参照）、測定スイッチ１４をＯＮする。電流印加用電極１５，１６から印加された高周波電流によって生じる身体抵抗電位を電圧計測用電極１７，１８によって検出することにより身体インピーダンスを計測し、この計測値と身体特定化情報とに基づきＢＩＡ法によって体脂肪率，体脂肪量を算出して表示部９に表示する、これらの値と身体特定化情報とから「やせ」，「標準」，「軽肥満」，「肥満」のいずれに属するかを判定して表示部９に表示する。
　【００５０】
　以下に、本装置のグリップ部７，８における電流印加用電極１５，１６及び電圧計測用電極１７，１８の形成方法について説明する。
　【００５１】
　図５（ａ）〜（ｇ）は、電流印加用電極１６の組立工程を示す。
　【００５２】
　本装置１の筐体２１は前面側部材２１ａと背面側部材２１ｂとに二分割されている。
　【００５３】
　図５（ａ）は取付前の前面側部材２１ａの電流印加用電極支持部３３と電極構成部材３４とを示す。これを背面側からみた斜視図で示したのが図６である。半円筒形状の支持部３３の内面の軸方向両端部には、分割面（支持部３３の周方向縁部３３ａ，３３ｂを含む面）から背面側に突出して電極構成部材３４の軸方向の移動を規制する軸方向規制リブ３５ａ，３５ｂ，３５ｃ，３５ｄが設けられている。また、内面の中央部にはネジ穴３６を有する略有底円筒形状の固定部３７が設けられている。固定部３７を挟んで径方向両側の内面に、分割面から背面側に突出して対向する略Ｌ字形の端部３８ａ，３９ａ，４０ａを有する仮止め部（保持手段）３８，３９，４０が設けられている。また、固定部３７の軸方向上側の内面には前面側部材２１ａと背面側部材２１ｂとを接合して固定するためのネジ穴を有する略有底円筒形状の筐体固定部４１も設けられている。
　【００５４】
　電極構成部材３４は略長方形のステンレスの厚さ０．１ｍｍ程度、硬度ＨＶ３１０〜３８０の薄板であり、両端部３４１，３４２が中央部３４３に対してほぼ直角に屈曲され、断面略コの字形に形成されている。端部３４１の中央部３４３側には短手方向（軸方向）に矩形の孔３４１ａ，３４１ｂが並設されている。孔３４１ａ，３４１ｂの先端部側には短手方向両側が切り欠かれて突出部３４１ｃが形成され、中央に円形の孔３４１ｄが形成されている。端部３４２の中央部３４３側には矩形の孔３４２ａが設けられ、孔３４２ａの先端部側には短手方向両側が切り欠かれて突出部３４２ｂが形成され、中央に円形の孔３４２ｃが形成されている（図６参照）。電流印加用電極１５，電圧計測用電極１７，１８の電極構成部材も同様の構成を有する。
　【００５５】
　このように電極構成部材として薄板状のステンレス等の金属を用いれば、熱容量が小さいので、電極が低温になっている状態で計測を行う場合でもすぐに被検者の体温によって温度が上昇し、計測精度に影響を与えることがない。
　【００５６】
　また、ステンレスのように安価で、人体に影響がない金属材を使用することができるので、安全性が高く、製造コストを低減することができる。
　【００５７】
　このように、電極構成部材は厚さ０．１ｍｍ程度のステンレス材に孔加工と曲げ加工を施しただけなので、製造が容易である。
　【００５８】
　また、電極を薄板状の電極構成部材によって形成することで、材料使用量もより少なくすることができる。
　【００５９】
　また、従来の樹脂成形品にメッキ加工したもののように、メッキ不良やはがれによる接触不良が生じることがないので、電気的接続をより確実に行うことができる。メッキ工程で使用する有害物質などの廃液処理について配慮する必要がないので、製造工程におけるコストを削減することができる。
　【００６０】
　次に、電極構成部材３４の孔３４１ａ，３４１ｂと仮止め部３９，４０の端部３９ａ，４０ａとを係合させて（図５（ｂ））、中央部３４３を支持部３３に沿って矢印方向に巻き付ける（図５（ｃ））。図７は、電極構成部材３４を支持部３３に巻き付けた状態を背面側からみた図である。
　【００６１】
　次に、図５（ｄ）に示すように電極構成部材の孔３４２ａと仮止め部３８の端部３８ａとを係合させる。孔３４２ａは長手方向に矩形をなしているので、係合させた状態でも径方向に若干の移動が可能である。また、電極構成部材は長手方向の曲げに対して弾性を有するので、端部３４２側は支持部３３表面から若干離間した状態で保持される。図８は、支持部３３に巻き付けた電極構成部材３４の孔３４２ａと仮止め部３８とを係合させた状態を背面側からみた斜視図である。
　【００６２】
　電流印加用電極１５，電圧計測用電極１７，１８についても同様に電極構成部材を支持部に巻き付ける。
　【００６３】
　次に、図５（ｅ）に示すように、支持部３３の形状と同様の断面半円形状の溝４１を有する治具４２を前面側からあてがう。
　【００６４】
　溝４１の内面によって電極構成部材３４の端部３４１，３４２は互いに径方向に押圧される。図９は押圧された状態の電極構成部材３４を背面側からみた斜視図である。押圧されると、電極構成部材３４の突出部３４１ｃ，３４２ｂの孔３４１ｄ，３４２ｃが固定部３７のネジ穴３６の上方に重なって位置する。この状態で、リード線（接続線）４３の端部に設けられた丸端子（接続部）４４及び孔３４１ｄ，３４２ｃにタッピングネジ４５を挿通し、ネジ穴３６にねじ込むことによって固定するとともに電極構成部材３４とリード線４３とを電気的に接続する。図１０はネジ４５によって電極構成部材３４固定した状態を背面側からみた図である。固定部３７の開口端部３７ａは分割面から前面側に退避した位置に設けられているので、ネジ止めされた状態では、電極構成部材の端部３４１，３４２は前面側へ押圧されてたわんでいる。従って、電極構成部材の端部３４１，３４２は復原力によって丸端子４４に圧接しているので、ネジ４５が多少緩んだとしても、電極構成部材３４と丸端子４４との接触状態は確保されるので、信頼性と耐久性が高い。
　【００６５】
　さらに、図５（ｆ），（ｇ）に示すように、背面側部材２１ｂと前面側部材２１ａとを接合することにより組立が完了する。
　【００６６】
　電流印加用電極１６はこのようにして製造された電極構成部材３４を支持部３３に巻き付けるだけで形成できるので、組立工程も簡略化できる。
　【００６７】
　また、このように可撓性を有する電極構成部材を使用すれば、運搬時や組立時に多少余計な力が加わっても変形してしまうことがないので、折れめがついた外観不良品の発生率を低減することができ、製造コストを低減することができる。組立工程における部材の取り扱いを簡素化できるので、組立工程の設計の自由度が増大する。
　【００６８】
　このような可撓性を有する金属材としては、チタン，りん青銅等の銅の合金を使用することができる。
　【００６９】
　また、電極構成部材の孔を仮止め部の端部と係合させて、電極構成部材を一時的に保持した状態で作業を行うことができるので、４つの電極構成部材をすべて組み付けた状態で、順番にネジ止めを行うことができる。すなわち、巻き付け工程を手作業で行いネジ止め作業を機械で行う等のように巻き付け工程と固定工程を分離することができるので、効率的に製造を行うことにより製造コストを削減することができる。
　【００７０】
　本実施形態では、健康管理指針情報として体脂肪率等の情報をインピーダンス計測値と身体特定化情報から算出しているが、筋肉量，基礎代謝量，エネルギー代謝変化等の健康管理指針情報を算出できるようにすることもできる。
　【００７１】
　本実施形態では、グリップ部の前半部分に電極構成部材を巻き付けているが、グリップ部の周の３／４あるいはほぼ全周にわたって電極構成部材を巻き付けるようにしてもよく、周方向に電極構成部材の占める割合はこれに限られない。
　【００７２】
　本実施形態では、電極構成部材とリード線とをネジによって接続して固定しているが、電極構成部材によって挟み込むようにしてもよく、接続方法はこれに限られない。
　【００７３】
　また、本実施形態では４電極でインピーダンスを計測しているが、２電極等の他の電極構成でインピーダンスを計測してもよい。
　【００７４】
　図１１は本実施形態の変形例であり、電極構成部材３４に小突起を設けたものである。このように小突起４６を設けることにより、グリップ部７，８を握った時の位置ずれを防止するとともに、電極と皮膚との接触面積を大きくすることにより計測精度の向上を図ることができる。
　【００７５】
　（第２の実施形態）以下、本発明の第２の実施形態に係る健康管理指針アドバイス装置としての体脂肪計について説明する。
　【００７６】
　電極構成部材５０の構成と支持部３３の内部構造とを除いて、体脂肪計本体の構成は第１の実施形態と同様であるので、同様の構成については同様の符号を用いて説明を省略する。
　【００７７】
　図１２は電極構成部材５０の全体を示す斜視図である。
　【００７８】
　電極構成部材５０は、略長方形のステンレスの厚さ０．１ｍｍ程度、硬度ＨＶ３１０〜３８０の薄板であり、両端部５０１，５０２が中央部５０３に対してほぼ直角に屈曲された断面略コの字形に形成されている。端部５０１は先端部側において短手方向両側が切り欠かれて突出部５０１１が形成されており、突出部５０１１の先端部側はさらに端部５０２側へ屈曲され中央部５０３と平行なかぎ状突出部５０１１ａを形成するとともに突出部５０１１の中央部５０３側には孔５０１１ｂが設けられている。端部５０２には短手方向に先端部側が開口する略コの字形の切り込みが入れられて、端部５０１側に若干屈曲された略長方形の爪部５０２ａが設けられている。電流印加用電極１５，電圧計測用電極１７，１８の電極構成部材も同様の構成を有する。
　【００７９】
　図１３（ａ）は支持部３３を背面側からみた図であり、図１３（ｂ）は図１３（ａ）のＡ−Ａ断面図である。
　【００８０】
　支持部３３内面は略半円板形状のリブ５１，５２によって仕切られている。リブ５１，５２の背面側縁部５１ａ，５２ａは分割面から前面側に後退した位置にある。リブ５１の径方向の中央部には前面側部材２１ａと背面側部材２１ｂとを接合して固定するためのネジ穴を有する略有底円筒形状の筐体固定部５３が設けられている。リブ５１及び５２に挟まれた軸方向中央部にネジ穴５４を有する略有底円筒状の固定部５５が設けられている。固定部５５の開口端部５５ａは分割面上にある。固定部５５の外方（図では下側）側面には開口端部５５ａから若干前面よりの位置から支持部３３の内周面にまで至る分割面にほぼ直交する端面５６ａを有するリブ５６が形成されている。リブ５６を挟む軸方向両側には、支持部３３の外方側内周面から突出するリブ５７，５８が形成されている。リブ５７，５８の内方側（図では上側）端面は５７ａ，５８ａは分割面にほぼ直交して支持部３３の内周面に至るまで形成されている。端面５７ａ，５８ａは軸方向からみて微小間隙を隔て、又は同一平面上に、あるいは若干重なって、端面５６ａと対向して配置され、端面５７ａ及び５８ａと端面５６ａとの間にはスリット５９が形成されている。
　【００８１】
　図１４（ａ）〜（ｅ）は電極１６の組立工程を示す。
　【００８２】
　まず、図１４（ａ）のように、電極構成部材５０のかぎ状突出部５０１１ａをスリット５９に挿入し、保持手段としてのリブ５６とリブ５７及び５８とで挟持する。
　【００８３】
　次に、図１４（ｂ）に示すように電極構成部材５０を支持部３３に巻き付ける。
　【００８４】
　次に、図１４（ｃ）に示すように保持手段としての爪部５０２ａを支持部３３の外方側の縁部３３ｂに係合させて、リード線４３の丸端子４４及び電極構成部材５０の孔５０１１ｂとにタッピングネジ４５を挿通し、ネジ穴５４にネジ込むことによって固定するとともに電極構成部材とリード線４３とを電気的に接続する。
　【００８５】
　このように電極構成部材５０に爪部を設けることにより支持部の構成を簡略化でき、低コストでの製造が可能となる。
　【００８６】
　さらに、図１４（ｄ），（ｅ）に示すように、背面側部材２１ｂと前面側部材２１ａとを接合することにより組立が完了する。背面側部材２１ｂに、電極構成部材５０の端部５０２に対向して前面側に突出する押圧部６０を設け、端部５０２を支持部３３の内部に押し込むことにより巻き付けられた電極構成部材５０の端部５０２側を固定している。
　【００８７】
　このようなステンレスの薄板からなる電極構成部材を巻き付けて電極を形成することにより、第１実施形態と同様の効果が得られる。
　【００８８】
　（第３の実施形態）以下、本発明の第３の実施形態に係る健康管理指針アドバイス装置としての体脂肪計について説明する。
　【００８９】
　電極構成部材７０の構成と支持部３３の内部構造とを除いて、体脂肪計本体の構成は第１の実施形態と同様であるので、同様の構成については同様の符号を用いて説明を省略する。
　【００９０】
　図１５は電極構成部材７０の全体を示す斜視図である。
　【００９１】
　電極構成部材７０は、略長方形のステンレスの厚さ０．１ｍｍ程度、硬度ＨＶ３１０〜３８０の薄板であり、両端部７０１，７０２が中央部７０３に対してほぼ直角に屈曲された断面略コの字形に形成されている。端部７０１のほぼ中央部には孔７０１ａが設けられ、先端部側は端部７０２側へ屈曲され中央部７０３と平行なかぎ状突出部７０１ｂが形成されている。端部７０２は短手方向両側が切り欠かれて突出部７０２１が形成され、突出部７０２１には孔７０２１ａが設けられている。電流印加用電極１７，電圧計測用電極１７，１８の電極構成部材も同様の構成を有する。
　【００９２】
　図１６（ａ）〜（ｄ）は電流印加用電極１６の組立工程を示す。
　【００９３】
　支持部３３内面は、第２実施形態と同様軸方向両側が図示しない略半円板形状のリブによって仕切られている。軸方向中央部の内方側（図では右側）にはネジ穴７１を有する略有底円筒形状の第１固定部７２が設けられ、外方側（図では左側）には同様のネジ穴７３を有する略有底円筒形状の第２固定部７４が設けられている。第１固定部７２の外方側面には開口端部７２ａから若干前面よりの位置から支持部３３の内周面にまで至り分割面にほぼ直交する端面７５ａを有するリブ７５が形成されている。また、第２固定部７４の内方側には開口端部７４ａから若干前面よりの位置から支持部３３の内周面にまで至り分割面にほぼ直交する端面７６ａを有するリブ７６が形成されている。保持手段としてのリブ７５とリブ７６は軸方向に同じ位置に設けられ、端面７５ａと端面７６ａとは微小間隙を隔てて対向し、スリット７７を形成している。
　【００９４】
　まず、図１６（ａ）に示すように、かぎ状突出部７０１ｂをスリット７に挿入し、リブ７５とリブ７６とで挟持する。この状態で、図１６（ｂ）に示すように、リード線４３の丸端子４４及び電極構成部材７０の端部７０１の孔７０１ａにタッピングネジ４５を挿通し、ネジ穴７１にネジ込むことによって固定するとともに電極構成部材とリード線４３とを電気的に接続する。
　【００９５】
　次に、図１６（ｃ）に示すように、電極構成部材７０を支持部３０に巻き付け、電極構成部材７０の突出部７０２１の孔７０２１ａにタッピングネジ７８を挿通し、ネジ穴７３にねじ込んで固定する。第２固定部７４の開口端部７４ａは分割面から若干前面側へ退避しており、突出部７０２１を第２固定部７４ヘネジ止めすることにより、電極構成部材７０は締め付けられ、支持部３３表面により確実に固定される。
　【００９６】
　図１６（ｄ）に示すように、背面側部材２１ｂと前面側部材２１ａとを接合することにより組立が完了する。
　【００９７】
　このようなステンレスの薄板からなる電極構成部材を巻き付けて電極を形成することにより、第１実施形態と同様の効果が得られる。
　【００９８】
　（第４の実施形態）以下、本発明の第４の実施形態に係る健康管理指針アドバイス装置としての体脂肪計について説明する。
　【００９９】
　電極構成部材８０の構成と支持部３３の内部構造とを除いて、体脂肪計本体の構成は第１の実施形態と同様であるので、同様の構成については同様の符号を用いて説明を省略する。
　【０１００】
　図１７は電極構成部材８０の全体を示す斜視図である。
　【０１０１】
　電極構成部材８０は、略長方形のステンレスの厚さ０．１ｍｍ程度、硬度ＨＶ３１０〜３８０の薄板であり、両端部８０１，８０２が中央部８０３に対してほぼ直角に屈曲された断面略コの字形に形成されている。端部８０１の先端部側は端部８０２側へ屈曲され中央部８０３と平行なかぎ状突出部８０１ａが形成されている。端部８０２の中央部８０３側には長手方向に延びる長円形状の孔８０２ａ，８０２ｂが軸方向に並設されている。孔８０２ａ，８０２ｂの先端部側には、孔８０２ａ，８０２ｂの軸方向中央に孔８０２ｃが設けられるとともに軸方向両端部が切り欠かれている。電流印加用電極１７，電圧計測用電極１７，１８の電極構成部材も同様の構成を有する。
　【０１０２】
　図１８（ａ）〜（ｄ）は電流印加用電極１６の組立工程を示す。
　【０１０３】
　支持部３３内面は、第２実施形態と同様軸方向両側が略半円板形状のリブ（図示せず）によって仕切られている。中央部にはネジ穴８１を有する略有底円筒形状の固定部８２が設けられている。固定部８２の外方側（図では左側）には、分割面から背面側に突出して内方側（図では右側）へ屈曲した略Ｌ字形の端部８３ａ，８４ａを有する仮止め部（保持手段）８３，８４が軸方向両側に固定部８２を挟んで並設されている。固定部８２の内方側面から支持部３３の内周面の内方側の縁部３３ａ近傍まで軸方向に直交するリブ（保持手段）８５が設けられている。リブ８５は、開口端部８２ａから若干前面よりの位置から支持部３３の内周面に至るまで設けられており、固定部８２と支持部３３の内方側の縁部３３ａとのほぼ中央部に分割面にほぼ直交して形成された微小間隙のスリット８６によって、リブ８５ａ及びリブ８５ｂに２分割されている。
　【０１０４】
　まず、図１８（ａ）に示すように、電極構成部材８０のかぎ状突出部８０１ａをスリット８６に挿入し、リブ８５ａ及びリブ８５ｂによって挟持する。
　【０１０５】
　次に、図１８（ｂ）に示すように電極構成部材８０の中央部８０３を支持部３３の表面に巻き付け、孔８０２ａ，８０２ｂと仮止め部８３，８４の端部８３ａ，８４ａとを係合させる（図１８（ｃ））。
　【０１０６】
　次に、リード線４３の丸端子４４及び電極構成部材８０の端部７０２の孔７０２ｃにタッピングネジ４５を挿通し、ネジ穴８１にネジ込むことによって固定するとともに電極構成部材とリード線４３とを電気的に接続する（図１８（ｄ））。
　【０１０７】
　図１８（ｅ）に示すように、背面側部材２１ｂと前面側部材２ａとを接合することにより組立が完了する。背面側部材２１ｂに、電極構成部材８０の端部８０１に対向して前面側に突出する押圧部８７を設け、端部８０１を前面側へ押圧し、かぎ状突出部８０１ａをスリット８６からの抜けを防止することにより、電極構成部材８０を支持部３３により確実に固定している。
　【０１０８】
　このようなステンレスの薄板からなる電極構成部材を巻き付けて電極を形成することにより、第１実施形態と同様の効果が得られる。
　【０１０９】
　【発明の効果】
　以上説明したように、第１の発明によれば、被検者は保持部を手で保持するだけで健康管理に有益な指針情報を入手することができるので、簡便に使用できるとともに、
前記電極の少なくとも一つは、薄板状をなし、かつ可撓性を有する導電性の電極構成部材によって形成されるとともに前記保持部に設けられた電極支持部に支持され、前記電極構成部材は、前記電極支持部に巻きつけられており、該電極支持部の表面に沿う形状に変形されることにより弾性による復原力が生じる中央部と、前記巻きつけ方向の少なくとも一方の端部であって、前記電極構成部材の前記保持部に対する固定に先立ち、前記中央部に生じる弾性による復原力の作用によって前記保持部に一時的に保持される端部とを有するので、簡易な構成であり、低コストでの製造が可能である。また、巻き付け工程を手作業で行いネジ止め作業を機械で行う等のように巻き付け工程と固定工程を分離することができるので、効率的に製造を行うことにより製造コストを削減することができる。
　【０１１０】
　また、このように電極構成部材として可撓性を有する部材を使用すれば、運搬時や組立工程において加わる衝撃をたわみによって吸収し、折れ等の変形による外観不良品の発生を防止することができるので、製造コストを低減することができる。また、組立工程における部材の取り扱いを簡素化できるので、組立工程の設計の自由度が増大する。
　【０１１１】
　【０１１２】
　
第２の発明のように保持部に電極構成部材の端部を一時的に保持するための仮止め部を設ければ、
　【０１１３】
　
第３及び第４の発明によれば、
　【０１１４】
　【０１１５】
【図面の簡単な説明】
　【図１】
　図１は本発明の第１の実施形態に係る体脂肪計の外観を示す斜視図である。
　【図２】
　図２（ａ）は本発明の第１の実施形態に係る体脂肪計の正面図、図２（ｂ）は同左側面図である。
　【図３】
　図３本発明の第１の実施形態に係る体脂肪計の内部の回路構成の概略を示すブロック図である。
　【図４】
　図４（ａ），（ｂ）は本発明の第１の実施形態に係る体脂肪計による計測時の姿勢を示す図である。
　【図５】
　図５（ａ）〜（ｇ）は本発明の第１の実施形態に係る体脂肪計における電流印加用電極の組立工程を示す図である。
　【図６】
　図６は本発明の第１の実施形態に係る体脂肪計の組立前の支持部と電極構成部材を背面側からみた斜視図である。
　【図７】
　図７は本発明の第１の実施形態に係る体脂肪計において電極構成部材を支持部に巻き付けた状態を背面側からみた斜視図である。
　【図８】
　図８は本発明の第１の実施形態に係る体脂肪計において巻き付けた電極構成部材を仮止め部と係合させた状態を背面側からみた斜視図である。
　【図９】
　図９は本発明の第１の実施形態に係る体脂肪計において押圧された状態の電極構成部材を背面側からみた斜視図である。
　【図１０】
　図１０は本発明の第１の実施形態に係る体脂肪計において電極構成部材をネジで支持部に固定した状態を背面側からみた斜視図である。
　【図１１】
　図１１は本発明の第１の実施形態に係る体脂肪計の変形例を示す斜視図である。
　【図１２】
　図１２は本発明の第２の実施形態に係る体脂肪計の電極構成部材の全体を示す斜視図である。
　【図１３】
　図１３（ａ）は本発明の第２の実施形態に係る体脂肪計の支持部を背面側からみた図であり、図１３（ｂ）は図１３（ａ）のＡ−Ａ断面図である。
　【図１４】
　図１４（ａ）〜（ｅ）は本発明の第２の実施形態に係る体脂肪計の電流印加用電極の組立工程を示す図である。
　【図１５】
　図１５は本発明の第３の実施形態に係る体脂肪計の電極構成部材の全体を示す斜視図である。
　【図１６】
　図１６（ａ）〜（ｄ）は本発明の第３の実施形態に係る体脂肪計の電流印加用電極の組立工程を示す図である。
　【図１７】
　図１７は本発明の第４の実施形態に係る体脂肪計の電極構成部材の全体を示す斜視図である。
　【図１８】
　図１８（ａ）〜（ｄ）は本発明の第４の実施形態に係る体脂肪計の電流印加用電極の組立工程を示す図である。
　【図１９】
　図１９は第１の従来技術に係る体脂肪計を示す図である。
　【図２０】
　図２０は第２の従来技術に係る体脂肪計を示す図である。
　【図２１】
　図２１は第３の従来技術に係る体脂肪計の全体を示す図である。
　【図２２】
　図２２（ａ）は第３の従来技術に係る体脂肪計の電流印加用電極の構成を背面側からみた図であり、図２２（ｂ）は図２２（ａ）のＢ−Ｂ断面図である。
　【符号の説明】
　１　体脂肪計
　グリップ部
　１５，１６　電流印加用電極１７，１８　電圧計測用電極３０　ＲＯＭ３１　ＲＡＭ３２　ＣＰＵ３３　電極支持部３４，５０，７０，８０　電極構成部材３８，３９，４０，８３，８４　仮止め部４３　リード線４４　丸端子５６，５７，５８，７５，７６，８５　リブ５０２ａ　爪部